(57)【要約】【課題】製造コストを低減する有機エレクトロルミネッセンス素子及び有機エレクトロルミネッセンス素子の製造方法を提供することにある。【解決手段】互いに並列に配置された第１および第２の信号電極（２Ａ、２Ｂ、２Ｃ、２Ｄ、２Ｅ）と、第１および第２の信号電極（２Ａ、２Ｂ、２Ｃ、２Ｄ、２Ｅ）を横切るように延びる第１の走査電極（７Ａ、７Ｃ）と、第１および第２の信号電極（２Ａ、２Ｂ、２Ｃ、２Ｄ、２Ｅ）と第１の走査電極（７Ａ、７Ｃ）との間に配置されると共に第１および第２の信号電極（２Ａ、２Ｂ、２Ｃ、２Ｄ、２Ｅ）を横切るように第１の走査電極（７Ａ、７Ｃ）に沿って延び且つ単色を発光する第１の有機エレクトロルミネッセンス媒体（６Ａ、６Ｃ）とを有する。【選択図】図１
2010287801.tif 000002
【特許請求の範囲】
【請求項１】
互いに並列に配置された第１および第２の信号電極と、
第１および第２の信号電極を横切るように延びる第１の走査電極と、
第１および第２の信号電極と第１の走査電極との間に配置されると共に第１および第２の信号電極を横切るように第１の走査電極に沿って延び且つ単色を発光する第１の有機エレクトロルミネッセンス媒体とを有する
有機エレクトロルミネッセンス素子。
【請求項２】
第１および第２の信号電極を横切ると共に第１の走査電極と並んで延びる第２の走査電極と、
第１および第２の信号電極と第２の走査電極との間に配置されると共に第１および第２の信号電極と横切るように第２の走査電極に沿って延び且つ単色を発光する第２の有機エレクトロルミネッセンス媒体とを有する
請求項１に記載の有機エレクトロルミネッセンス素子。
【請求項３】
第１および第２の信号電極は、それぞれ、基電極と、この基電極から延びる支電極とを有し、
第１の信号電極の支電極と第２の信号電極の支電極とは隣り合う
請求項２に記載の有機エレクトロルミネッセンス素子。
【請求項４】
前記第１及び第２の走査電極は並列に接続する
請求項３に記載の有機エレクトロルミネッセンス素子。
【請求項５】
第１の走査電極と第２の走査電極とを仕切ると共に第１の有機エレクトロルミネッセンス媒体と第２の有機エレクトロルミネッセンス媒体とを仕切る隔壁を有する
請求項２に記載の有機エレクトロルミネッセンス素子。
【請求項６】
第１の有機エレクトロルミネッセンス媒体と第２の有機エレクトロルミネッセンス媒体とは互いに異なる単色を発光する
請求項２に記載の有機エレクトロルミネッセンス素子。
【請求項７】
第１および第２の信号電極を並列に形成し、
第１および第２の信号電極の上にあって第１および第２の信号電極を横切るように単色を発光する第１の有機エレクトロルミネッセンス媒体を形成し、
第１の有機エレクトロルミネッセンス媒体の上にあって第１および第２の信号電極を横切るように第１の走査電極を形成した
有機エレクトロルミネッセンス素子の製造方法。
【請求項８】
第１および第２の信号電極の上にあって第１および第２の信号電極を横切るように単色を発光する第２の有機エレクトロルミネッセンス媒体を形成し、
第２の有機エレクトロルミネッセンス媒体の上であって第１および第２の信号電極を横切るように第２の走査電極を形成した
請求項７に記載の有機エレクトロルミネッセンス素子の製造方法。
【請求項９】
第１および第２の信号電極に、基電極と、この基電極から延びる支電極とをそれぞれ形成し、
第２の信号電極の支電極の隣に第１の信号電極の支電極を配置した
請求項８に記載の有機エレクトロルミネッセンス素子の製造方法。
【請求項１０】
前記第１及び第２の走査電極を並列に接続した
請求項９に記載の有機エレクトロルミネッセンス素子の製造方法。
【請求項１１】
第１および第２の信号電極を横切ると共に第１の有機エレクトロルミネッセンス媒体と第２の有機エレクトロルミネッセンス媒体との間に隔壁を配置する
請求項８に記載の有機エレクトロルミネッセンス素子の製造方法。
【発明の詳細な説明】
【技術分野】
【０００１】
本願は、有機エレクトロルミネッセンス素子及び有機エレクトロルミネッセンス素子の製造方法に関する。
【背景技術】
【０００２】
近年、有機エレクトロルミネッセンス素子（以下、有機ＥＬ素子と称する。）は自発光の面状表示素子として注目されている。有機ＥＬ素子は対向する２つの電極と、２つの電極の間に配置されると共に有機蛍光物質を有する発光層とを有する。そして、２つの電極から正孔及び電子が発光層内に注入され、正孔及び電子が発光層内で結合し、そのエネルギーで有機蛍光物質を励起し、有機蛍光物質に応じた色の発光を取り出す。
【先行技術文献】
【特許文献】
【０００３】
【特許文献１】特開２００８−１４７０７２号公報
【発明の概要】
【発明が解決しようとする課題】
【０００４】
ところで、上記有機ＥＬ素子では、１つの走査電極上に多色（例えば、ＲＧＢ）のサブ画素を形成し、サブ画素の選択・組み合わせにより、多色表示を行っていた。サブ画素の形成は、例えば、サブ画素と同形状開口を有する蒸着マスクを使う。このため、その工程は複雑で、長い作業時間を必要とした。
【０００５】
そこで、本発明の目的は、製造コストを低減する及び有機エレクトロルミネッセンス素子の製造方法を提供することにある。
【課題を解決するための手段】
【０００６】
以下、本発明の特徴を参照符号を用いて説明する。参照符号は、本発明を実施形態に限定するものでない。
【０００７】
本発明の第１の特徴は、互いに並列に配置された第１および第２の信号電極（２Ａ、２Ｂ、２Ｃ、２Ｄ、２Ｅ）と、第１および第２の信号電極（２Ａ、２Ｂ、２Ｃ、２Ｄ、２Ｅ）を横切るように延びる第１の走査電極（７Ａ、７Ｃ）と、第１および第２の信号電極（２Ａ、２Ｂ、２Ｃ、２Ｄ、２Ｅ）と第１の走査電極（７Ａ、７Ｃ）との間に配置されると共に第１および第２の信号電極（２Ａ、２Ｂ、２Ｃ、２Ｄ、２Ｅ）を横切るように第１の走査電極（７Ａ、７Ｃ）に沿って延び且つ単色を発光する第１の有機エレクトロルミネッセンス媒体（６Ａ、６Ｃ）とを有する有機エレクトロルミネッセンス素子（１０Ａ、１０Ｂ）である。
【０００８】
以上の特徴にあって、同素子（１０Ａ、１０Ｂ）は、第１および第２の信号電極（２Ａ、２Ｂ、２Ｃ、２Ｄ、２Ｅ）を横切ると共に第１の走査電極（７Ａ、７Ｃ）と並んで延びる第２の走査電極（７Ｂ、７Ｄ）と、第１および第２の信号電極と第２の走査電極との間に配置されると共に第１および第２の信号電極（２Ａ、２Ｂ、２Ｃ、２Ｄ、２Ｅ）と横切るように第２の走査電極（７Ｂ、７Ｄ）に沿って延び且つ単色を発光する第２の有機エレクトロルミネッセンス媒体（６Ｂ、６Ｄ）とを有する。
【０００９】
第１および第２の信号電極（２Ｃ、２Ｄ、２Ｅ）は、それぞれ、基電極（２Ｃ１、２Ｄ１、２Ｅ１）と、この基電極（２Ｃ１、２Ｄ１、２Ｅ１）から延びる支電極（２Ｃ２、２Ｄ２、２Ｄ３、２Ｅ２）とを有し、第１の信号電極（２Ｃ、２Ｅ）の支電極（２Ｃ２、２Ｅ２）と第２の信号電極（２Ｄ）の支電極（２Ｄ２、２Ｄ３）とは隣り合う。
【００１０】
第１及び第２の走査電極（７Ｃ、７Ｄ）は並列に接続する。
【００１１】
同素子（１０Ａ、１０Ｂ）は、第１の走査電極（７Ａ、７Ｃ）と第２の走査電極（７Ｂ、７Ｄ）とを仕切ると共に第１の有機エレクトロルミネッセンス媒体（６Ａ、６Ｃ）と第２の有機エレクトロルミネッセンス媒体（６Ｂ、６Ｄ）とを仕切る隔壁（５Ｂ、５Ｅ）を有する。
【００１２】
第１の有機エレクトロルミネッセンス媒体（６Ａ、６Ｃ）と第２の有機エレクトロルミネッセンス媒体（６Ｂ、６Ｄ）とは互いに異なる単色を発光する。
【００１３】
発明の第２の特徴は、第１および第２の信号電極（２Ａ、２Ｂ、２Ｃ、２Ｄ、２Ｅ）を並列に形成し、第１および第２の信号電極（２Ａ、２Ｂ、２Ｃ、２Ｄ、２Ｅ）の上にあって第１および第２の信号電極（２Ａ、２Ｂ、２Ｃ、２Ｄ、２Ｅ）を横切るように単色を発光する第１の有機エレクトロルミネッセンス媒体（６Ａ、６Ｃ）を形成し、第１の有機エレクトロルミネッセンス媒体（６Ａ、６Ｃ）の上にあって第１および第２の信号電極（２Ａ、２Ｂ、２Ｃ、２Ｄ、２Ｅ）を横切るように第１の走査電極を（７Ａ、７Ｃ）形成した有機エレクトロルミネッセンス素子（１０Ａ、１０Ｂ）の製造方法である。
【００１４】
以上の特徴にあって、第１および第２の信号電極（２Ａ、２Ｂ、２Ｃ、２Ｄ、２Ｅ）の上にあって第１および第２の信号電極（２Ａ、２Ｂ、２Ｃ、２Ｄ、２Ｅ）を横切るように単色を発光する第２の有機エレクトロルミネッセンス媒体（６Ｂ、６Ｄ）を形成し、第２の有機エレクトロルミネッセンス媒体（６Ｂ、６Ｄ）の上であって第１および第２の信号電極（２Ａ、２Ｂ、２Ｃ、２Ｄ、２Ｅ）を横切るように第２の走査電極（７Ｃ、７Ｄ）を形成した。
【００１５】
第１および第２の信号電極（２Ｃ、２Ｄ、２Ｅ）に、基電極（２Ｃ１、２Ｄ１、２Ｅ１）と、この基電極（２Ｃ１、２Ｄ１、２Ｅ１）から延びる支電極（２Ｃ２、２Ｄ２、２Ｄ３、２Ｅ２）とをそれぞれ形成し、第２の信号電極（２Ｄ）の支電極（２Ｄ２、２Ｄ３）の隣に第１の信号電極（２Ｃ、２Ｅ）の支電極（２Ｃ２、２Ｄ２）を配置した。
【００１６】
第１及び第２の走査電極（７Ｃ、７Ｄ）は並列に接続する。
【００１７】
第１および第２の信号電極（２Ａ、２Ｂ、２Ｃ、２Ｄ、２Ｅ）を横切ると共に第１の有機エレクトロルミネッセンス媒体（６Ａ、６Ｃ）と第２の有機エレクトロルミネッセンス媒体（６Ｂ、６Ｄ）との間に隔壁（５Ｂ、５Ｅ）を配置する。
【発明の効果】
【００１８】
発明の特徴によれば、１つの走査電極で１色のサブ画素とするので、複数の走査電極の組み合わせにより、多色化を実現する。
【００１９】
走査電極同士を仕切る隔壁に加えてサブ画素のパターンを形成する隔壁を一つの走査電極上に配置し、１つの走査電極上で２色のサブ画素を形成したので、多色化を実現する。
隔壁はサブ画素形成時に隔壁をセパレータとして利用できるので、多色画素のパターニングを容易にし、製造コストを低減する。  
【図面の簡単な説明】
【００２０】
【図１】第１の実施形態に係わる有機ＥＬ素子の一部概略斜視図である。
【図２】第２の実施形態に係わる有機ＥＬ素子の概略斜視図であり、（Ｂ）は同素子の電極パターンを示す斜視図である。
【図３】第１の実施例に係わる有機ＥＬ素子の平面図である。
【図４】（Ａ）〜（Ｄ）は図３に示す有機ＥＬ素子の製造工程を示す平面図である。
【図５】（Ｅ）〜（Ｈ）は図３に示す有機ＥＬ素子の製造工程を示す平面図である。
【図６】第２の実施例に係わる有機ＥＬ素子を示す平面図である。
【図７】（Ａ）〜（Ｄ）は図５に示す有機ＥＬ素子の製造工程を示す平面図である。
【図８】（Ｅ）、（Ｆ）は図５に示す有機ＥＬ素子の製造工程を示す平面図である。
【図９】第３の実施例に係わる有機ＥＬ素子を示す平面図である。
【図１０】（Ａ）〜（Ｄ）は図７に示す有機ＥＬ素子の製造工程を示す平面図である。
【図１１】（Ｅ）、（Ｆ）は図７に示す有機ＥＬ素子の製造工程を示す平面図である。
【発明を実施するための形態】
【００２１】
以下、本願を実施するための形態について、図面を用いて説明する。
【００２２】
第１の実施形態
図１に示すように、有機ＥＬ素子１０Ａは、基板１と、基板１の上に配置された信号電極２Ａ、２Ｂを有する。有機ＥＬ素子１０Ａは、第１および第２の信号電極２Ａ、２Ｂを横切るように配置された第１及び第２の走査電極７Ａ、７Ｂを有する。第１及び第２の走査電極７Ａ、７Ｂは並列に延びる。
【００２３】
有機ＥＬ素子１０Ａは、第１及び第２の信号電極２Ａ、２Ｂと第１の走査電極７Ａとの間に配置された第１の有機ＥＬ媒体６Ａを有する。第１の有機ＥＬ媒体６Ａは第１および第２の信号電極２Ａ、２Ｂを横切ると共に第１の走査電極７Ａに沿って延びる。有機ＥＬ素子１０Ａは、第１及び第２の信号電極２Ａ、２Ｂと第１の走査電極７Ａとの間に配置された第２の有機ＥＬ媒体６Ｂを有する。第２の有機ＥＬ媒体６Ｂは第１および第２の信号電極２Ａ、２Ｂを横切ると共に第２の走査電極７Ｂに沿って延びる。
【００２４】
有機ＥＬ素子１０Ａは、信号電極２Ａ、２Ｂを横切るように配置された隔壁５Ａ、５Ｂ、５Ｃを有する。隔壁５Ａ、５Ｂの間に、第１の有機ＥＬ媒体６Ａ及び第１の走査電極７Ａが配置される。隔壁５Ｂ、５Ｃの間に、第２の有機ＥＬ媒体６Ｂ及び第２の走査電極７Ｂが配置される。隔壁５Ｂは、第１の走査電極７Ａと第２の走査電極７Ｂとを仕切ると共に第１の有機ＥＬ媒体６Ａと第２の有機ＥＬ媒体６Ｂとを仕切る。
【００２５】
基板１は、例えば、ガラス等の透明無機材料、透明樹脂を用いる。透明樹脂は、フィルム状に成形可能であれば特に限定されるものではなく、高い透明性、耐溶媒性、耐熱性の比較的高い耐熱性を有すればよい。透明樹脂は、例えば、ポリエーテルスルホン、ポリエチレンテレフタレート（ＰＥＴ）、ポリカーボネート（ＰＣ）、ポリエーテルエーテルケトン（ＰＥＥＫ）、ポリフッ化ビニル（ＰＦＶ）、ポリアクリレート（ＰＡ）、ポリプロピレン（ＰＰ）、ポリエチレン（ＰＥ）、ポリエチレンナフタレート（ＰＥＮ）、非晶質ポリオレフィン、またはフッ素系樹脂を用いる。なお、有機ＥＬ素子をボトムエミッション型とする場合、基板は透明性を有する。有機ＥＬ素子をトップエミッション型とする場合、基板は透明性を有しなくてもよい。有機ＥＬ素子において両面から光を取り出す場合には、基板は透明性を有する。
【００２６】
信号電極２Ａ、２Ｂは陽極であっても陰極であってもよい。一般に、有機ＥＬ素子を製造する際には、陽極側から積層する方が安定して有機ＥＬ素子を作製することから、信号電極２Ａ、２Ｂを陽極とする。陽極は、正孔が注入し易いように仕事関数の大きい導電性材料を用いる。一方、陰極は、電子が注入し易いように仕事関数の小さな導電性材料を用いる。導電性材料は、透明性の金属材料、有機物、無機化合物を用いる。透明性の有機物や無機化合物は、例えば、Ｉｎ−Ｚｎ−Ｏ（ＩＺＯ）、Ｉｎ−Ｓｎ−Ｏ（ＩＴＯ）、Ｚｎ−Ｏ−Ａｌ、Ｚｎ−Ｓｎ−Ｏである。また、透明性が要求されない場合、導電性材料は、金属を用いる。具体的にはＡｕ、Ｔａ、Ｗ、Ｐｔ、Ｎｉ、Ａｌ、Ｐｄ、Ｃｒ、あるいは、Ａｌ合金、Ｎｉ合金、Ｃｒ合金である。  
【００２７】
信号電極２Ａ、２Ｂが陽極となる場合、走査電極７Ａ、７Ｂは陰極となり、信号電極２Ａ、２Ｂが陰極になる場合、走査電極７Ａ、７Ｂは陽極になる。有機ＥＬ素子をトップエミッション型とする場合、走査電極７Ａ、７Ｂは透明性を有してもよい。有機ＥＬ素子においてボトムエミッション型とする場合、走査電極７Ａ、７Ｂは透明性を有しなくてもよい。  
【００２８】
隔壁５Ａ、５Ｂ、５Ｃは、断面逆台形の断面を有し、絶縁性の材料から構成される。有機ＥＬ媒体６Ａ、６Ｂは単色の色要素として配置される。有機ＥＬ媒体６Ａ、６Ｂは、少なくとも発光層を含む１層もしくは複数層の有機層から構成される。発光層以外の有機ＥＬ媒体を構成する有機層は、正孔注入層、正孔輸送層、電子注入層、又は電子輸送層である。この正孔輸送層は、正孔注入層に正孔輸送の機能を付与することにより、正孔注入層と一体化される場合が多い。
【００２９】
有機ＥＬ媒体６Ａ、６Ｂの構成は、例えば、発光層のみ、正孔注入層／発光層、正孔注入層／発光層／電子注入層、正孔注入層／正孔ブロック層／発光層／電子注入層、正孔注入層／発光層／電子輸送層などである。
【００３０】
以下、有機ＥＬ媒体６Ａ、６Ｂの各構成について説明する。
【００３１】
（ｉ）発光層
第１の例（第１態様）における発光層に用いられる発光材料としては、蛍光または燐光を発する材料を含み、発光するものであれば特に限定されるものではなく、発光機能と正孔輸送機能もしくは電子輸送機能とを兼ねていてもよい。
【００３２】
発光材料としては、色素系発光材料、金属錯体系発光材料、および高分子系発光材料を挙げることができる。
【００３３】
色素系発光材料としては、例えば、シクロペンダミン誘導体、テトラフェニルブタジエン誘導体、トリフェニルアミン誘導体、オキサジアゾ−ル誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマー等である。
【００３４】
金属錯体系発光材料としては、例えば、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、ユーロピウム錯体、あるいは、中心金属に、Ａｌ、Ｚｎ、Ｂｅ等またはＴｂ、Ｅｕ、Ｄｙ等の希土類金属を有し、配位子に、オキサジアゾール、チアジアゾール、フェニルピリジン、フェニルベンゾイミダゾール、キノリン構造等を有する金属錯体である。
【００３５】
高分子系発光材料としては、例えば、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体等、あるいは、上記の色素系発光材料や金属錯体系発光材料を高分子化したもの等を挙げることができる。
【００３６】
（ii）正孔注入層
正孔注入層は、発光層に正孔の注入が容易に行われるように、陽極と発光層との間に設けられる。正孔注入層に用いられる材料は、発光層内への正孔の注入を安定化させることができる材料であれば特に限定されるものではない。
【００３７】
この正孔注入層に用いられる正孔注入性材料としては、例えば、アリールアミン類、フタロシアニン類、酸化バナジウム、酸化モリブデン、酸化ルテニウム、酸化アルミニウム、酸化チタン等の酸化物、アモルファスカーボン、ポリアニリン、ポリチオフェン、ポリフェニレンビニレンおよびこれらの誘導体等の導電性高分子を挙げられる。導電性高分子は、酸によりドーピングされていてもよい。
【００３８】
具体的には、例えば、ビス（Ｎ−（１−ナフチル−Ｎ−フェニル）ベンジジン（α−ＮＰＤ）、４，４，４−トリス（３−メチルフェニルフェニルアミノ）トリフェニルアミン（ｍ−ＭＴＤＡＴＡ）、ポリ（３，４−エチレンジオキシチオフェン）／ポリスチレンスルホン酸（ＰＥＤＯＴ／ＰＳＳ）が挙げられる。
【００３９】
（iii）電子輸送層
電子輸送層は、発光層に電子の輸送が容易に行われるように、陰極と発光層との間に設けられる。電子輸送層に用いられる材料としては、陰極から注入された電子を発光層内へ輸送することができる材料であれば特に限定されない。
【００４０】
この電子輸送層に用いられる電子輸送性材料は、例えば、オキサジアゾール類、トリアゾール類、バソキュプロイン、バソフェナントロリン等のフェナントロリン類、トリス（８−キノリノラト）アルミニウム錯体（Ａｌｑ３）等のアルミキノリノール錯体を用いる。
【００４１】
（iv）電子注入層
電子注入層は、発光層に電子の注入が容易に行われるように、陰極と発光層との間に設けられ。
【００４２】
電子注入層に用いられる材料は、発光層内への電子の注入を安定化させることができる材料であれば特に限定されるものではなく、例えば、アルミリチウム合金、リチウム、セシウム等のアルカリ金属やその合金；フッ化リチウム、フッ化セシウム等のアルカリ金属のハロゲン化物；ストロンチウム、カルシウム等のアルカリ土類金属；フッ化マグネシウム、フッ化ストロンチウム、フッ化カルシウム、フッ化バリウム等のアルカリ土類金属のハロゲン化物；酸化マグネシウム、酸化ストロンチウム、酸化アルミニウム等の酸化物；などが挙げられる。また、電子注入層に用いられる材料として、ポリメチルメタクリレートポリスチレンスルホン酸ナトリウムを用いる。
【００４３】
以上の有機ＥＬ素子１０Ａによれば、第１及び第２の有機ＥＬ媒体６Ａ、６Ｂはそれぞれサブ画素を構成し、１つの第１及び第２の走査電極７Ａ、７Ｂにそれぞれ１色のサブ画素を付与したので、多色化を実現する。
【００４４】
また、走査電極７Ａ、７Ｂへの電力供給を切り替えることにより、有機ＥＬ媒体６Ａ、６Ｂの発光を切り替える。これにより、有機ＥＬ素子１０Ａの発光色を制御することができる。
【００４５】
また、隔壁５Ｂは第１および第２の有機ＥＬ媒体６Ａ、６Ｂの形成時にセパレータとして機能するので、多色の画素のパターニングを容易にする。特に、この隔壁５Ｂは溶液プロセスで有利である。一方、蒸着プロセスにおいても、第１及び第２の有機ＥＬ媒体６Ａ、６Ｂの形成並びに第１及び第２の走査電極７Ａ、７Ｂの形成に同じ蒸着マスクを使用できるので、連続して工程を実行でき、製造コストを低減する。
【００４６】
第２の実施形態
本実施形態の有機ＥＬ素子１０Ｂは、第１の実施形態の有機ＥＬ素子１０Ｂと同様の構造を有する一方、第１乃至第３の信号電極２Ｃ、２Ｄ、２Ｅの構造及び第１及び第２の走査電極７Ｃ、７Ｄの構造に特徴を有する。
【００４７】
図２（Ａ）、（Ｂ）に示すように、有機ＥＬ素子１０Ｂは、基板１と、基板１の上に配置された第１乃至第３の信号電極２Ｃ、２Ｄ、２Ｅを有する。有機ＥＬ素子１０Ｂは、第１乃至第３の信号電極２Ｃ、２Ｄ、２Ｅを横切るように配置された第１及び第２の走査電極７Ｃ、７Ｄを有する。第１及び第２の走査電極７Ｃ、７Ｄは並列に延びる。有機ＥＬ素子１０Ｂは、第１乃至第３の信号電極２Ｃ、２Ｄ、２Ｅと第１の走査電極７Ｃとの間に配置された第１の有機ＥＬ媒体６Ｃを有する。第１の有機ＥＬ媒体６Ｃは第１乃至第３の信号電極２Ｃ、２Ｄ、２Ｅを横切ると共に第１の走査電極７Ｃに沿って延びる。有機ＥＬ素子１０Ｂは、第１乃至第３の信号電極２Ｃ、２Ｄ、２Ｅと第２の走査電極７Ｄとの間に配置された第２の有機ＥＬ媒体６Ｄを有する。第２の有機ＥＬ媒体６Ｄは第１乃至第３の信号電極２Ｃ、２Ｄ、２Ｅを横切ると共に第２の走査電極７Ｄに沿って延びる。有機ＥＬ素子１０Ｂは、第１乃至第３の信号電極２Ｃ、２Ｄ、２Ｅを横切るように配置された隔壁５Ｄ、５Ｅ、５Ｆを有する。
【００４８】
第１乃至第３の信号電極２Ｃ、２Ｄ、２Ｅは、長く延びる基電極２Ｃ１、２Ｄ１、２Ｅ１と、基電極２Ｃ１、２Ｄ１、２Ｅ１から横方向に延びる支電極２Ｃ２、２Ｄ２、２Ｄ３、２Ｅ２を有する。基電極２Ｃ１、２Ｄ１、２Ｅ１は互いに並列に延びる。支電極２Ｃ２、２Ｄ２は隣り合う。支電極２Ｄ３、２Ｅ２は隣り合う。支電極２Ｃ２、２Ｅ２は互いに近づくように延びる。支電極２Ｃ２、２Ｄ２は互いに反対方向へ延びる。支電極２Ｄ３、２Ｅ２は互いに離れるように反対方向へ延びる。  
【００４９】
第１の有機ＥＬ媒体６Ｃと第２の有機ＥＬ媒体６Ｄとは互いに異なる発光色を有する。発光色の組み合わせは、例えば、赤と緑、赤と青である。
【００５０】
第１および第２の走査電極７Ｃ、７Ｄは、例えば、共通の端子と接続され、電気的に並列に接続される。第１および第２の走査電極７Ｃ、７Ｄは１つの走査電極として機能する。
【００５１】
隔壁５Ｄ、５Ｅの間に、第１の有機ＥＬ媒体６Ｃ、第１の走査電極７Ｃが配置される。隔壁５Ｅ、５Ｆの間に、第２の有機ＥＬ媒体６Ｄ、第２の走査電極７Ｄが配置される。隔壁５Ｄ、５Ｅ、５Ｆは、信号電極２Ｃ、２Ｄ、２Ｅの上に配置される。隔壁５Ｅは第１の走査電極７Ｃと第２の走査電極７Ｄとを仕切ると共に第１の有機ＥＬ媒体６Ｃと第２の有機ＥＬ媒体６Ｄとを仕切る。
【００５２】
以上の有機ＥＬ素子１０Ｂによれば、第１の有機ＥＬ素子６Ｃ及び第２の有機ＥＬ素子６Ｄは２色のサブ画素となり、第１及び第２の走査電極７Ｃ、７Ｄからなる１つの走査電極に２色のサブ画素を付与するので、多色化を実現する。
【００５３】
また、信号電極２Ｄと信号電極２Ｃ、２Ｅとで電極供給を切り替えることにより、有機ＥＬ媒体６Ｃ、６Ｄの発光を切り替える。これにより、有機ＥＬ素子１０Ｂの発光色を制御する。
【００５４】
隔壁５Ｄ、５Ｅ、５Ｆは第１及び第２の有機ＥＬ媒体６Ｃ、６Ｄの形成時にセパレータとして機能するので、多色の画素のパターニングを容易にする。特に、この隔壁５Ｄ、５Ｅ、５Ｆは溶液プロセスで有利である。一方、蒸着プロセスにおいても、第１及び第２の有機ＥＬ媒体６Ｃ、６Ｄの形成並びに第１及び第２の走査電極７Ｃ、７Ｄの形成に同じ蒸着マスクを使用できる。これにより、連続して工程を実行でき、製造コストを低減する。
【００５５】
なお、以上の実施形態は本発明の趣旨の範囲で修正、変更可能である。信号電極の成膜方法は、印刷法の他、一般的な電極の成膜方法、例えば、スパッタリング法、イオンプレーティング法、真空蒸着法、ＣＶＤ法を用いてもよい。また、信号電極のパターニング方法は、例えば、フォトリソグラフィー法を用いてもよい。
【００５６】
また、有機ＥＬ媒体の印刷方法は、高分子印刷方法、又は、低分子印刷方法でもよい。発光層を含む複数の有機層を積層する場合、例えば、発光層、または、正孔注入層および発光層をフォトリソグラフィー法によりパターニングした後に、パターン状の発光層上に、電子輸送層や電子注入層等を真空蒸着法によりパターン状に形成してもよい。
【００５７】
また、有機ＥＬ媒体に、正孔注入層および発光層を形成する場合、基板上の全面に正孔注入層および発光層を形成した後に、正孔注入層および発光層をフォトリソグラフィー法によりパターニングしてもよく、発光層のみをフォトリソグラフィー法によりパターニングしてもよい。
【００５８】
第１の実施例
図３に示すように、有機ＥＬ素子１００Ａは、ガラス基板１１と、ガラス基板１１の上に配置されたアノード電極群１２を有する。有機ＥＬ素子１００Ａは、アノード電極群１２対して横方向に配置されたカソード電極端子群１３を有する。有機ＥＬ素子１００Ａは、アノード電極群１２の上に配置された絶縁膜１４と、絶縁膜１４の上に配置されると共にアノード電極群１２を横切る隔壁群１５を有する。有機ＥＬ素子１００Ａは、隔壁群１５に沿って配置された色要素としての有機ＥＬ媒体群１６を有する。有機ＥＬ素子１００Ａは、有機ＥＬ媒体群１６の上に配置されると共に隔壁群１５によって仕切られたカソード電極群１７を有する。有機ＥＬ素子１００Ａは、有機ＥＬ媒体群１６およびカソード電極群１７を覆うと共にガラス基板１１に貼り合わされた封止ガラス１８を有する。  
【００５９】
アノード電極群１２はアノード電極１２Ａ、１２Ｂ、１２Ｃ、１２Ｄ、１２Ｅ、１２Ｆ、１２Ｇ、１２Ｈ、１２Ｉからなる。アノード電極１２Ａ−１２Ｉは、ガラス基板１１で並列に配置される。アノード電極１２Ａ−１２Ｉは、透明性の金属材料、有機物、無機化合物を用いる。各アノード電極１２Ａ−１２Ｉは、それぞれ、画面を構成するアノード電極画面部１２ａと、アノード電極画面部１２ａの端から延びるアノード電極端子部１２ｂとを有する（図２（Ｂ）参照）。アノード電極端子部１２ｂはアルミニウムで被覆されている。
【００６０】
カソード電極端子群１３はカソード電極端子１３Ａ、１３Ｂ、１３Ｃ、１３Ｄ、１３Ｅ、１３Ｆ、１３Ｇ、１３Ｈ、１３Ｉからなる。カソード電極端子１３Ａ−１３Ｉは並列に配置される。カソード電極端子１３Ａ−１３Ｉはアルミニウムで被覆されている。カソード電極端子群１３はアノード電極群１２と同様に、透明性の金属材料、有機物、無機化合物を用いる。  
【００６１】
隔壁群１５は隔壁１５Ａ、１５Ｂ、１５Ｃ、１５Ｄ、１５Ｅ、１５Ｆ、１５Ｇ、１５Ｈ、１５Ｉ、１５Ｊからなる。隔壁１５Ａ−１５Ｊは、例えば、５マイクロメートルの高さを有する。隔壁１５Ａ−１５Ｊは絶縁性の材料を用いる。
【００６２】
有機ＥＬ媒体群１６は有機ＥＬ媒体１６Ａ、１６Ｂ、１６Ｃ、１６Ｄ、１６Ｅ、１６Ｆ、１６Ｇ、１６Ｈ、１６Ｉからなる。有機ＥＬ媒体１６Ａ−１６Ｉは隔壁１５Ａ−１５Ｊによって仕切られる。有機ＥＬ媒体１６Ａ−１６Ｉは、例えば、緑色を発光可能である。
【００６３】
カソード電極群１７は並列に配置されたカソード電極１７Ａ、１７Ｂ、１７Ｃ、１７Ｄ、１７Ｅ、１７Ｆ、１７Ｇ、１７Ｈ、１７Ｉからなる。カソード電極１７Ａ−１７Ｉは、それぞれカソード電極端子１３Ａ−１３Ｉと電気的に接続する。カソード電極１７Ａ−１７Ｉは、隔壁１５Ａ−１５Ｊによって仕切られている。カソード電極１７Ａ−１７Ｉは、それぞれ有機ＥＬ媒体１６Ａ−１６Ｉの上に配置される。
【００６４】
矩形の絶縁膜１４はアノード電極群１２のアノード電極画面部１２ａを覆うと共にアノード電極端子部１２ｂの一部およびカソード電極端子群１３の一部を覆う。図４（Ｄ）に示すように、絶縁膜１４は、アノード電極１２Ａ−１２Ｉとカソード電極１７Ａ−１７Ｉとの交差するそれぞれの部位に矩形の窓１４ａを有する。
【００６５】
次に、図４、５を参照して有機ＥＬ素子１００Ａの製造方法を説明する。図４（Ａ）に示すように、ガラス基板１１の上にアノード電極１２Ａ−１２Ｉを並列にパターニングしてアノード電極群１２を形成する。すなわち、アノード電極１２Ａ−１２Ｉのアノード電極画面部１２ａを並列に形成し、各アノード電極画面部１２ａの端からアノード電極端子部１２ｂを延ばす。さらに、基板１１の上であってアノード電極群１２に対して横にカソード電極端子１３Ａ−１３Ｉを互いに並列にパターニングして、カソード電極端子群１３を形成する。
【００６６】
図４（Ｂ）に示すように、アノード電極１２Ａ−１２Ｉの各アノード電極端子部１２ｂにアルミニウムを蒸着する。同様に、カソード電極端子１３Ａ−１３Ｉにアルミニウムを蒸着する。
【００６７】
図４（Ｃ）に示すように、アノード電極１２Ａ−１２Ｉのアノード電極画面部１２ａを所定の間隔で矩形のマスクによって格子状に覆う。アノード電極画面部１２ａ、アノード電極端子部１２ｂの端、カソード電極端子群１３の端に絶縁材料を蒸着して絶縁膜１４を形成する。この際、マスクによって覆われた部位は、絶縁膜１４の窓１４ａとなる。
【００６８】
図５（Ｄ）に示すように、アノード電極１２Ａ−１２Ｉのアノード電極画面部１２ａを横切るように絶縁膜１４の上に所定の間隔で隔壁１５Ａ−１５Ｊを配置する。このとき、隔壁１５Ｂ−１５Ｉは、それぞれカソード電極端子１３Ａ−１３Ｉの間および絶縁膜１４の窓１４ａの間に配置される。
【００６９】
図５（Ｅ）に示すように、アノード電極群１２を横切るように隔壁１５Ａ−１５Ｊ同士の間に有機ＥＬ媒体１６Ａ−１６Ｉを印刷する。印刷方法は、例えば、グラビア印刷、オフセット印刷である。ここで、隔壁１５Ａ−１５Ｊはセパレータとして作用するので、隔壁１５A−１５Ｊの間における有機ＥＬ媒体１６Ａ−１６Ｉの形成を容易にする。
【００７０】
図６（Ｆ）に示すように、有機ＥＬ媒体１６Ａ−１６Ｉの上にアルミニウムを蒸着して、カソード電極１７Ａ−１７Ｉを形成する。このとき、隔壁１５Ａ−１５Ｊはセパレータとして作用する。ここで、カソード電極１７Ａ−１７Ｉはカソード電極端子１３Ａ−１３Ｉの端を覆う。これにより、カソード電極１７Ａ−１７Ｉとカソード電極端子１３Ａ−１３Ｉとをそれぞれ電気的に接続する。
【００７１】
図５（Ｇ）に示すように、カソード電極群１７、有機ＥＬ媒体群１６を覆うように封止ガラス１８を位置決めする。シール剤を用いてガラス基板１１に封止ガラス１８を貼り合わせる。
【００７２】
図５（Ｈ）に示すように、ガラス基板１１を反対に返して、アノード電極端子群１２のアノード電極端子部１２ｂとカソード電極端子群１３とに電源１９を接続する。
【００７３】
以上の工程により、有機ＥＬ素子１００Ａを完成する。  
【００７４】
次に、図３を参照にして、有機ＥＬ素子１００Ａの使用方法を説明する。
【００７５】
電源１９からアノード電極群１２とカソード電極群１７の間に電圧を印加する。すなわち、アノード電極群１２Ａ−１２Ｉから正孔が有機ＥＬ媒体１６Ａ−１６Ｉに注入される。一方、カソード電極１７Ａ−１７Ｉから電子が有機ＥＬ媒体１６Ａ−１６Ｉに注入される。正孔と電子が発光層で再結合し、緑色の光を発光する。
【００７６】
この緑色の光は有機ＥＬ媒体１６Ａ−１６Ｉから絶縁膜１４の窓１４ａ、アノード電極１２Ａ−１２Ｉ、ガラス基板１１を通過して、外部へ向けて放射される。
【００７７】
第２の実施例
本実施例の有機ＥＬ素子１００Ｂは、第１の実施例と同様の構造を有し、２色を発光する点に特徴を有する。
【００７８】
図６に示すように、有機ＥＬ素子１００Ｂはカソード電極端子群２３、隔壁群２５、有機ＥＬ媒体群２６、カソード電極群２７を有する。
【００７９】
カソード電極端子群２３は、アノード電極１２Ａ−１２Ｉの数に対して２倍の数のアノード電極２３Ａ、２３Ｂ、２３Ｃ、２３Ｄ、２３Ｅ、２３Ｆ、２３Ｇ、２３Ｈ、２３Ｉ、２３Ｊ、２３Ｋ、２３Ｌ、２３Ｍ、２３Ｎ、２３Ｏ、２３Ｐ、２３Ｑ、２３Ｒ、２３Ｓからなる。カソード電極端子２３Ａ−２３Ｓは並列に配置される。
【００８０】
隔壁群２５は、隔壁２５Ａ、２５Ｂ、２５Ｃ、２５Ｄ、２５Ｅ、２５Ｆ、２５Ｇ、２５Ｈ、２５Ｉ、２５Ｊ、２５Ｋ、２５Ｌ、２５Ｍ、２５Ｎ、２５Ｏ、２５Ｐ、２５Ｑ、２５Ｒ、２５Ｓからなる。隔壁２５Ｂ−２５Ｓは互いに並列に配置され、カソード電極端子２３Ａ−２３Ｓの間に配置される。
【００８１】
有機ＥＬ媒体群２６は、アノード電極１２Ａ−１２Ｉを横切るように延びると共に隔壁２５Ａ−２５Ｓの間に配置される。有機ＥＬ媒体群２６は、有機ＥＬ媒体２６Ａ、２６Ｂ、２６Ｃ、２６Ｄ、２６Ｅ、２６Ｆ、２６Ｇ、２６Ｈ、２６Ｉ、２６Ｊ、２６Ｋ、２６Ｌ、２６Ｍ、２６Ｎ、２６Ｏ、２６Ｐ、２６Ｑ、２６Ｒからなる。有機ＥＬ媒体２６Ａ−２６Ｒは、交互に青色および緑色を発光可能である。すなわち、有機ＥＬ媒体２６Ａ、２６Ｃ、２６Ｅ、２６Ｇ、２６Ｉ、２６Ｋ、２６Ｍ、２６Ｏ、２６Ｑは、例えば、青色を発光可能である。有機ＥＬ媒体２６Ｂ、２６Ｄ、２６Ｆ、２６Ｈ、２６Ｊ、２６Ｌ、２６Ｎ、２６Ｐ、２６Ｒは、例えば、緑色を発光可能である。なお、発光する色の組み合わせは、赤色と青色、赤色と緑色でもよい。
【００８２】
カソード電極群２７は、カソード電極２７Ａ、２７Ｂ、２７Ｃ、２７Ｄ、２７Ｅ、２７Ｆ、２７Ｇ、２７Ｈ、２７Ｉ、２７Ｊ、２７Ｋ、２７Ｌ、２７Ｍ、２７Ｎ、２７Ｏ、２７Ｐ、２７Ｑ、２７Ｒからなる。カソード電極２７Ａ−２７Ｒは、隔壁２５Ｂ−２５Ｒによって仕切られている。カソード電極２７Ａ−２７Ｒは、それぞれ有機ＥＬ媒体２６Ａ−２６Ｒの上に配置される。
【００８３】
絶縁膜１４はアノード電極群１２のアノード電極画面部１２ａを覆うと共にアノード電極端子部１２ｂの一部およびカソード電極単群２３の一部を覆う。図７（Ｃ）に示すように、絶縁膜１４は、アノード電極１２Ａ−１２Ｉとカソード電極２７Ａ−２７Ｒの交差する部位にそれぞれ矩形の窓１４ｂを有する。窓１４ｂの数は、第１の実施例の窓１４ａの数に対して２倍である。  
【００８４】
次に、図７、８を用いて有機ＥＬ素子１００Ｂの製造方法を説明する。
【００８５】
図７（Ａ）に示すように、ガラス基板１１の上にアノード電極１２Ａ−１２Ｉを並列にパターニングしてアノード電極群１２を形成する。さらに、アノード電極群１２に対して横方向に延びるように、基板１１の上にカソード電極端子２３Ａ−２３Ｒを並列にパターニングしてカソード電極端子群２３を形成する。
【００８６】
図７（Ｂ）に示すように、アノード電極端子１２Ａ−１２Ｉのアノード電極画面部１２ａにマスクを配置する。アノード電極１２Ａ−１２Ｉのアノード電極端子部１２ｂにアルミニウムを蒸着する。同様に、カソード電極端子２３Ａ−２３Ｒにアルミニウムを蒸着する。
【００８７】
図７（Ｃ）に示すように、アノード電極１２Ａ−１２Ｉのアノード電極画面部１２ａを所定の間隔で矩形のマスクによって格子状に覆う。アノード電極画面部１２ａ、アノード電極端子部１２ｂの端、カソード電極端子群２３の端に絶縁材料を蒸着して絶縁膜１４を矩形に形成する。これにより、マスクによって覆われた部位は、絶縁膜１４の窓１４ｂとなる。
【００８８】
図７（Ｄ）に示すように、アノード電極１２Ａ−１２Ｉのアノード電極画面部１２ａを横切るように所定の間隔で隔壁２５Ａ−２５Ｓを配置する。このとき、隔壁２５Ａ−２５Ｓをそれぞれカソード電極端子２３Ａ−２３Ｒの間および絶縁膜１４の窓１４ｂの間に配置する。
【００８９】
図８（Ｅ）に示すように、隔壁２５Ａ−２５Ｓ同士の間であってアノード電極１２Ａ−１２Ｉを横切るように有機ＥＬ媒体２６Ａ、２６Ｃ、２６Ｅ、２６Ｇ、２６Ｉ、２６Ｋ、２６Ｍ、２６Ｏ、２６Ｑを印刷する。ここで、アノード電極１２Ａ−１２Ｉを横切るようにサブ画素を形成したので、製造工程を簡略化し、低コストを達成する。
【００９０】
図８（Ｆ）に示すように、残りの隔壁２５Ｂ−２５Ｒ同士の間であってアノード電極１２Ａ−１２Ｉを横切るように、有機ＥＬ媒体２６Ｂ、２６Ｄ、２６Ｆ、２６Ｈ、２６Ｊ、２６Ｌ、２６Ｎ、２６Ｐ、２６Ｒを印刷する。
【００９１】
以下、有機ＥＬ媒体２６Ａ−２６Ｒの上にアルミニウムを蒸着して、図６に示すようなカソード電極２７Ａ−２７Ｒを形成する。この際、カソード電極２７Ａ−２７Ｒはカソード電極端子２３Ａ−２３Ｒの端を覆う。これにより、カソード電極２７Ａ−２７Ｒとカソード電極端子２３Ａ−２３Ｒとは電気的に接続される。アノード電極群１２のアノード電極端子部１２ｂおよびカソード電極端子群２３とを電源に接続して、有機ＥＬ素子１００Ｂを完成する。
【００９２】
次に、図６を参照にして、有機ＥＬ素子１００Ｂの使用方法を説明する。
【００９３】
電源からアノード電極群１２とカソード電極群２７の間に電圧を印加する。有機ＥＬ媒体２６Ａ−２６Ｒは、青色及び緑色の光を発光する。これら光は絶縁膜１４の窓１４ｂ、アノード電極１２Ａ−１２Ｉ、ガラス基板１１を通過して、外部へ向けて放射される。
【００９４】
ここで、電力を供給するカソード電極端子２３Ａ−２３Ｒを切り替えることにより、有機ＥＬ素子１００Ｂの発光色を青又は緑に切り替える。
【００９５】
第３の実施例
本実施例の有機ＥＬ素子１００Ｃは、アノード電極群２２の構造に特徴を有する。
【００９６】
図９に示すように、有機ＥＬ素子１００Ｃは、アノード電極群２２、有機ＥＬ群２６、隔壁群２５、カソード電極群２７を有する。
【００９７】
有機ＥＬ素子１００Ｃはアノード電極群２２を有する。アノード電極群２２は、アノード電極２２Ａ、２２Ｂ、２２Ｃ、２２Ｄ、２２Ｅ、２２Ｆ、２２Ｇ、２２Ｈ、２２Ｉからなる。各アノード電極２２Ａ−２２Ｉは、アノード電極画面部２２ａと、アノード電極画面部２２ａから延びるアノード電極端子部２２ｂを有する。
【００９８】
図１０（Ａ）に示すように、各アノード電極２１Ａ−２２Ｉは、アノード電極画面部２２ａにおいて、長く延びる基電極２２１と、基電極２２１から横方向に延びる第１及び第２の支電極２２２、２２３とを有する。第１の支電極２２２と第２の支電極２２３とは隣り合い、基電極２２１に沿って交互に配置される。つまり、第１の支電極２２２は第２の支電極２２３の間に配置される一方、第２の支電極２２３は第１の支電極２２２の間に配置される。第１の支電極２２２は互いに一直線上に配置される。同様に第２の支電極２２３は互いに一直線上に配置される。基電極２２１は第１及び第２の支電極２２２、２２３との交差部位を除いてアルミニウムで覆われる（図１０（Ｂ）参照）。
【００９９】
有機ＥＬ媒体群２６はアノード電極群２２を横切るように配置される。有機ＥＬ媒体群２６は、有機ＥＬ媒体２６Ａ、２６Ｂ、２６Ｃ、２６Ｄ、２６Ｅ、２６Ｆ、２６Ｇ、２６Ｈ、２６Ｉ、２６Ｊ、２６Ｋ、２６Ｍ、２６Ｎ、２６Ｏ、２６Ｑ、２６Ｒからなる。各有機ＥＬ媒体２６Ａ−２６Ｒは、支電極２２２、２２３の上に交互に配置される。有機ＥＬ媒体２６Ａ、２６Ｃ、２６Ｅ、２６Ｇ、２６Ｉ、２６Ｋ、２６Ｍ、２６Ｏ、２６Ｑは、例えば、緑色を発光する。有機ＥＬ媒体２６Ｂ、２６Ｄ、２６Ｆ、２６Ｈ、２６Ｊ、２６Ｌ、２６Ｎ、２６Ｐ、２６Ｒは、例えば、赤色を発光する。
【０１００】
絶縁膜１４はアノード電極２２Ａ−２２Ｉのアノード電極画面部２２ａを覆う。絶縁膜１４はアノード電極端子部２２ｂおよびカソード電極極端子群１３の端を覆う。図１０（Ｃ）に示すように、絶縁膜１４は、第１及び第２の支電極２２２、２２３に一致する長く延びた矩形の窓１４ｃを有する。
【０１０１】
隔壁群２５は隔壁２５Ａ−２５Ｓからなる。隔壁２５Ｂ、２５Ｄ、２５Ｆ、２５Ｈ、２５Ｊ、２５Ｌ、２５Ｎ、２５Ｐ、２５Ｒはカソード電極端子１３Ａ−１３Ｉの上に配置される。隔壁２５Ｃ、２５Ｅ、２５Ｇ、２５Ｉ、２５Ｋ、２５Ｍ、２５Ｏ、２５Ｑはカソード電極端子１３Ａ―１３Ｉの間に配置される。隔壁２５Ａ−２５Ｓは有機ＥＬ媒体２６Ａ−２５Ｒを仕切る。図１０（Ｄ）に示すように、隔壁２５Ａ−２５Ｓは第１及び第２の支電極２２２、２２３の間に配置される。隔壁２５Ａ−２５Ｓは絶縁膜１４の窓１４ｃの間に配置される。
【０１０２】
カソード電極群２７はカソード電極２７Ａ―２７Ｒからなる。カソード電極２７Ａ−２７Ｒはそれぞれ有機ＥＬ媒体２６Ａ−２６Ｒの上に配置される。カソード電極２７Ａ−２７Ｒは隔壁２５Ａ−２５Ｓによって仕切られる。カソード電極２７Ａ−２７Ｒは、一対づつカソード電極端子１３Ａ−１３Ｉに並列に接続する。すなわち、カソード電極２７Ａ、２７Ｂはカソード電極端子１３Ａと導通する。カソード電極２７Ｃ、２７Ｄはカソード電極端子１３Ｂと導通する。カソード電極２７Ｅ、２７Ｆはカソード電極端子１３Ｃと導通する。カソード電極２７Ｇ、２７Ｈはカソード電極端子１３Ｄと導通する。カソード電極２７Ｉ、２７Ｊはカソード電極端子１３Ｅと導通する。カソード電極２７Ｋ、２７Ｌはカソード電極端子１３Ｆと導通する。カソード電極２７Ｍ、２７Ｎはカソード電極端子１３Ｇと導通する。カソード電極２７Ｏ、２７Ｐはカソード電極端子１３Ｈと導通する。カソード電極２７Ｑ、２７Ｒはカソード電極端子１３Ｉと導通する。
【０１０３】
次に、図１０、１１を用いて有機ＥＬ素子１００Ｂの製造方法を説明する。
【０１０４】
図１０（Ａ）に示すように、ガラス基板１１の上にアノード電極２２Ａ−２２Ｉの基電極２２１を並列にパターニングする。基電極２２１から両側に延びるように第１の支電極２２２をパターニングする。この第１の支電極２２２を一定の間隔で配置される。基電極２２１から横方向に延びるように第２の支電極２２３をパターニングする。第２の支電極２２３は第１の支電極２２２の隣に配置される。
【０１０５】
基電極２２１のアノード電極画面部２２ａの端から延びるようにアノード電極端子部２２ｂをパターニングする。アノード電極２２Ａ−２２Ｉに対して横方向に延びるようにカソード電極端子１３Ａ−１３Ｉをパターニングする。
【０１０６】
図１０（Ｂ）に示すように、アノード電極画面部２２ａの第１の支電極２２２及び第２の支電極２２３の上にマスクを配置する。アノード電極２２Ａ−２２Ｉのアノード電極画面部２２ａ、アノード電極端子部２２ｂ及びカソード電極端子群１３にアルミニウムを蒸着する。アノード電極２２Ａ−２２Ｉは第1の支電極２２２及び第２の支電極２２３を除いてアルミニウムで覆われる。
【０１０７】
図１０（Ｃ）に示すように、第１及び第２の支電極２２２、２２３の上にマスクを配置する。アノード電極群２２のアノード電極画面部２２ａ、アノード電極端子部２２ｂの一部、カソード電極端子１３Ａ−１３Ｉの一部の上に絶縁材料を蒸着して絶縁膜１４を形成する。これにより、マスクで覆われた部位は絶縁膜１４の窓１４ｃになる。
【０１０８】
図１０（Ｄ）に示すように、第１及び第２の支電極２２２、２２３の間及び窓１４ｃの間に断面逆台形の隔壁２５Ａ―２５Ｓを配置する。このとき、隔壁２５Ｂ、２５Ｄ、２５Ｆ、２５Ｈ、２５Ｊ、２５Ｌ、２５Ｎ、２５Ｐ、２５Ｒはカソード電極端子１３Ａ−１３Ｉの上に配置される。隔壁２５Ｃ、２５Ｅ、２５Ｇ、２５Ｉ、２５Ｋ、２５Ｍ、２５Ｏ、２５Ｑはカソード電極端子１３Ａ−１３Ｉ同士の間に配置される。
【０１０９】
図１１（Ｅ）に示すように、隔壁２５Ａ―２５Ｓ同士の間に一つおきに有機ＥＬ媒体２６Ａ、２６Ｃ、２６Ｅ、２６Ｇ、２６Ｉ、２６Ｋ、２６Ｍ、２６Ｏ、２６Ｑを印刷する。ここで、隔壁２５Ａ−２５Ｓはセパレータとして機能する。
【０１１０】
図１１（Ｆ）に示すように、残りの隔壁２５Ａ−２５Ｓ同士の間に有機ＥＬ媒体２６Ｂ、２６Ｄ、２６Ｆ、２６Ｈ、２６Ｊ、２６Ｌ、２６Ｎ、２６Ｐ、２６Ｒを印刷する。
【０１１１】
以下、図９に示すように、有機ＥＬ媒体２６Ａ−２６Ｒの上にカソード電極群２７を形成する。アノード電極端子部２２ｂとカソード電極端子群１３とに電源を接続し、有機ＥＬ素子１００Ｃを完成する。  
【０１１２】
次に、有機ＥＬ素子１００Ｃの使用方法を説明する。
【０１１３】
図９において、アノード電極群２２とカソード電極群２７の間に電圧を印加すればよい。すなわち、アノード電極群２２Ａ−２２Ｉから正孔が有機ＥＬ媒体２６Ａ−２６Ｓに注入される。一方、カソード電極２７Ａ−２７Ｒから電子が有機ＥＬ媒体２６Ａ−２６Ｓに注入される。正孔と電子が発光層で再結合し、光を放出する。
【０１１４】
ここで、有機ＥＬ媒体２６Ａ、２６Ｃ、２６Ｅ、２６Ｇ、２６Ｉ、２６Ｋ、２６Ｍ、２６Ｏ、２６Ｑ、２６Ｒは緑色の光を発光する。有機ＥＬ媒体２６Ｂ、２６Ｄ、２６Ｆ、２６Ｈ、２６Ｊ、２６Ｌ、２６Ｎ、２６Ｐ、２６Ｒは赤色の光を発光する。この光は絶縁膜１４の窓１４ｃからアノード電極２２Ａ−２２Ｉの第１及び第２の支電極２２２、２２３、ガラス基板１１を通過して、外部へ向けて放射される。
【０１１５】
ここで、アノード電極２２Ａ、２２Ｃ、２２Ｅ、２２Ｇ、２２Ｉへの電力供給をオフにすると、有機ＥＬ媒体２６Ｂ、２６Ｄ、２６Ｆ、２６Ｈ、２６Ｊ、２６Ｌ、２６Ｎ、２６Ｏ、２６Ｑは発光を止める。有機ＥＬ素子１００Ｃは緑色を発光する。これにより、有機ＥＬ素子１００Ｃの発光色を制御することができる。
【符号の説明】
【０１１６】
１０Ａ、１０Ｂ  有機ＥＬ素子    
１    基板
２Ａ  第１の信号電極
２Ｂ  第２の信号電極
２Ｃ  第１の信号電極
２Ｄ  第２の信号電極
２Ｅ  第３の信号電極
５Ａ、５Ｂ、５Ｃ、５Ｄ、５Ｅ  隔壁
６Ａ  第１の有機ＥＬ媒体
６Ｂ  第２の有機ＥＬ媒体
６Ｃ  第１の有機ＥＬ媒体
６Ｄ  第２の有機ＥＬ媒体
７Ａ  第１の走査電極
７Ｂ  第２の走査電極
７Ｃ  第１の走査電極
７Ｄ  第２の走査電極
１００Ａ、１００Ｂ、１００Ｃ  有機ＥＬ素子
１１  ガラス基板    
１２  アノード電極群    
１３  カソード電極端子群
１５  隔壁群
１６  有機ＥＬ媒体群
１７  カソード電極群
２２  アノード電極群
２３  カソード電極端子群
２５  隔壁群
２６  有機ＥＬ媒体群
２７  カソード電極群
【図１】
2010287801.tif 000003
【図２】
2010287801.tif 000004
【図３】
2010287801.tif 000005
【図４】
2010287801.tif 000006
【図５】
2010287801.tif 000007
【図６】
2010287801.tif 000008
【図７】
2010287801.tif 000009
【図８】
2010287801.tif 000010
【図９】
2010287801.tif 000011
【図１０】
2010287801.tif 000012
【図１１】
2010287801.tif 000013